(57)【要約】【課題】本発明は、ＴＶ等の端末上のＷｅｂブラウザにおける操作を簡略化することを目的とする。【解決手段】本発明に係るＷｅｂブラウザ操作システムは、シール管理サーバと、シール型Ｗｅｂブラウザと、を備え、ＴＶ等の端末上のＷｅｂブラウザにおける操作をスクリプト化し、シール管理サーバからシール型Ｗｅｂブラウザへ「シール」という形で提供する。そして、Ｗｅｂブラウザの画面上の必要な位置に、利用者の目的となるシールを貼り付けるという操作によって操作スクリプトを実行させ、利用者の目的となる操作を簡略化できるようにする。【選択図】図１
2015097020.tif 000002
【特許請求の範囲】
【請求項１】
端末の画面で表示されているＷｅｂサイトの情報を取得すると、Ｗｅｂブラウザの動作を規定する操作スクリプトを画面に表示するシールと関連付けるシール種別テーブルを参照し、当該シール種別テーブルの操作スクリプトのなかから取得したＷｅｂサイトで実行可能な操作スクリプトのシール及び当該のシールに関連付けられた操作スクリプトを前記端末に返送するシール管理サーバと、
前記シール管理サーバから返送された前記シールを前記端末の画面に前記Ｗｅｂサイトと共に表示し、前記シールのいずれかと前記Ｗｅｂサイトが画面上で接触すると、接触した前記Ｗｅｂサイトの表示内容について、当該シールに関連付けられた操作スクリプトを実行するシール型Ｗｅｂブラウザと、
を備えるＷｅｂブラウザ操作システム。
【請求項２】
前記シール型Ｗｅｂブラウザは、前記シールが前記Ｗｅｂサイト上に貼り付けられると、前記シールと前記Ｗｅｂサイトが接触したと判定することを特徴とする請求項１に記載のＷｅｂブラウザ操作システム。
【請求項３】
端末の画面で表示されているＷｅｂサイトの情報を取得すると、Ｗｅｂブラウザの動作を規定する操作スクリプトを画面に表示するシールと関連付けるシール種別テーブルを参照し、当該シール種別テーブルの操作スクリプトのなかから取得したＷｅｂサイトで実行可能な操作スクリプトのシール及び当該のシールに関連付けられた操作スクリプトを前記端末に返送するシール管理手順と、
返送された前記シールを前記端末の画面に前記Ｗｅｂサイトと共に表示し、前記シールのいずれかと前記Ｗｅｂサイトが画面上で接触すると、接触した前記Ｗｅｂサイトの表示内容について、当該シールに関連付けられた操作スクリプトを実行するスクリプト実行手順と、
を順に有するＷｅｂブラウザ操作方法。
【請求項４】
前記スクリプト実行手順において、前記シールが前記Ｗｅｂサイト上に貼り付けられることによって、前記シールと前記Ｗｅｂサイトを接触させることを特徴とする請求項３に記載のＷｅｂブラウザ操作方法。
【発明の詳細な説明】
【技術分野】
【０００１】
本発明は、Ｗｅｂブラウザでの操作をスクリプト化することで、利用者の目的を直感的かつ簡単な操作で完結できるようにする、ＴＶ上でのＷｅｂブラウザ操作システム及び方法に関するものである。
【背景技術】
【０００２】
現在、ＴＶの一機能として提供されているＷｅｂブラウザでは、利用者がＷｅｂサイトを閲覧する際に必要な操作（Ｗｅｂブラウザのメニューの選択・実行や文字の入力など）は、ＰＣ上でのＷｅｂブラウザでのマウスやキーボードを使った操作に近いものになっている。一方で、ＴＶ上のＷｅｂブラウザの操作デバイスとしては、主にＴＶに付随しているＴＶリモコンが多いこともあって、利用者が快適に利用できるとは言えない。具体的には、ＴＶリモコンの「上下左右キー」によりメニュー一覧や文字表一欄の中から、メニューや文字を一つずつ選択し、「決定キー」によりメニュー実行や文字入力実行を一つずつ実施する操作を繰り返す必要がある。そのため、利用者の目的を完結させるまでに必要な操作回数が多くなる、操作の間違いが多発するなど、利用者の操作性は低い。
【０００３】
また、最近では、ＴＶ上のＷｅｂブラウザの操作性を向上させるために、キーボード付きのリモコンやスマートフォンのタッチパッドを利用した操作方法も提供されているが、操作デバイス自体や利用方法を習熟するための時間がさらに必要となり、ＰＣやスマートフォンに精通していない利用者にとっては、容易に利用できるものにはなっていない。
【先行技術文献】
【非特許文献】
【０００４】
【非特許文献１】ｈｔｔｐ：／／ｗｗｗ．ｓｈａｒｐ．ｃｏ．ｊｐ／ｉ−ａｑｕｏｓ／ｐｒｏｄｕｃｔｓ／ａｘ１２０ｓ／ｐｃ−ｍｅｎｕ．ｈｔｍｌ＃ｐｃ−ｍｅｎｕ３
【発明の概要】
【発明が解決しようとする課題】
【０００５】
本発明は、ＴＶ等の端末上のＷｅｂブラウザにおける操作を簡略化することを目的とする。
【課題を解決するための手段】
【０００６】
本発明は、ＴＶ等の端末上のＷｅｂブラウザにおける操作をスクリプト化し、「シール」という形で利用者に提供する。そして、Ｗｅｂブラウザの画面と、利用者の目的となるシールを関連付けるという操作によって、利用者の目的をワンタッチで完結できるようにする。
【０００７】
具体的には、本発明に係るＷｅｂブラウザ操作システムは、
端末の画面で表示されているＷｅｂサイトの情報を取得すると、Ｗｅｂブラウザの動作を規定する操作スクリプトを画面に表示するシールと関連付けるシール種別テーブルを参照し、当該シール種別テーブルの操作スクリプトのなかから取得したＷｅｂサイトで実行可能な操作スクリプトのシール及び当該のシールに関連付けられた操作スクリプトを前記端末に返送するシール管理サーバと、
前記シール管理サーバから返送された前記シールを前記端末の画面に前記Ｗｅｂサイトと共に表示し、前記シールのいずれかと前記Ｗｅｂサイトが画面上で接触すると、接触した前記Ｗｅｂサイトの表示内容について、当該シールに関連付けられた操作スクリプトを実行するシール型Ｗｅｂブラウザと、
を備える。
【０００８】
本発明に係るＷｅｂブラウザ操作システムでは、前記シール型Ｗｅｂブラウザは、前記シールが前記Ｗｅｂサイト上に貼り付けられると、前記シールと前記Ｗｅｂサイトが接触したと判定してもよい。
【０００９】
具体的には、本発明に係るＷｅｂブラウザ操作方法は、
端末の画面で表示されているＷｅｂサイトの情報を取得すると、Ｗｅｂブラウザの動作を規定する操作スクリプトを画面に表示するシールと関連付けるシール種別テーブルを参照し、当該シール種別テーブルの操作スクリプトのなかから取得したＷｅｂサイトで実行可能な操作スクリプトのシール及び当該のシールに関連付けられた操作スクリプトを前記端末に返送するシール管理手順と、
返送された前記シールを前記端末の画面に前記Ｗｅｂサイトと共に表示し、前記シールのいずれかと前記Ｗｅｂサイトが画面上で接触すると、接触した前記Ｗｅｂサイトの表示内容について、当該シールに関連付けられた操作スクリプトを実行するスクリプト実行手順と、
を順に有する。
【００１０】
本発明に係るＷｅｂブラウザ操作方法では、前記スクリプト実行手順において、前記シールが前記Ｗｅｂサイト上に貼り付けられることによって、前記シールと前記Ｗｅｂサイトを接触させてもよい。
【発明の効果】
【００１１】
本発明によれば、Ｗｅｂブラウザの画面上の必要な位置に、利用者の目的となるシールを貼り付けることで、ＴＶ等の端末上のＷｅｂブラウザにおける操作を行うことができるため、ＴＶ等の端末上のＷｅｂブラウザにおける操作を簡略化することができる。
【図面の簡単な説明】
【００１２】
【図１】本発明によって提供されるサービス例を示す
【図２】実施形態１に係るシステム構成の一例を示す。
【図３】シールの一例を示す。
【図４】本実施形態に係るシーケンスの一例を示す。
【図５】ＴＶ画面表示の一例を示す。
【図６】実施形態２に係るＴＶ画面表示の一例を示す。
【発明を実施するための形態】
【００１３】
以下、本発明の実施形態について、図面を参照しながら詳細に説明する。なお、本発明は、以下に示す実施形態に限定されるものではない。これらの実施の例は例示に過ぎず、本発明は当業者の知識に基づいて種々の変更、改良を施した形態で実施することができる。なお、本明細書及び図面において符号が同じ構成要素は、相互に同一のものを示すものとする。
【００１４】
本発明は、ＷＥＢブラウザにおけるメニュー選択・実行や文字の入力等の操作又はビデオ、スマートフォンなどのデバイスにおける写真閲覧・編集、テレビ番組表、メールなどのアプリケーション等の操作をスクリプト化し、スクリプト処理を起動する画面上の領域と、ＷＥＢブラウザの表示をシールと関連付けることで、ＷＥＢブラウザを操作する。ＷＥＢブラウザの表示とシールの関連付けは、任意であり、例えば、シールをＷｅｂ画面上に貼り付けたり、Ｗｅｂ画面をシール上に移動させたり、シールとＷｅｂ画面を線で接続したりが例示できる。本発明は、ＴＶ上のＷｅｂブラウザに対してだけでなく、ＴＶ画面が表示可能なある程度の複雑な手順の操作が必要となる他のデバイス（ビデオ、スマートフォンなど）や他のアプリケーション（写真閲覧・編集、テレビ番組表、メールなど）における任意の端末の操作に対しても同様の手段が適応できる。サービスイメージを図１に図示する。
【００１５】
（実施形態１）
図２に、本実施形態に係るシステム構成の一例を示す。本実施形態では、シール管理サーバ１０とシール型Ｗｅｂブラウザ２０を考える。シール管理サーバ１０は、シール基本機能管理部１１と、シール貼付ルール管理部１２と、シール機能カスタマイズ管理部１３と、ユーザ情報管理部１４を備える。シール型Ｗｅｂブラウザ２０は、シールクライアント２１と、ブラウザエンジン２２と、その他ブラウザ機能２４を備える。その他ブラウザ機能２４は、Ｗｅｂサイトを表示するために必要な機能のうちのブラウザエンジン２２を除く機能である。またシール型Ｗｅｂブラウザ２０は、シール情報を含むＷｅｂサイト履歴情報をメモリ２３に格納している。
【００１６】
シール基本機能管理部１１は、シールと操作スクリプトが関連付けられたシール種別テーブルを格納する。シールは、ＴＶ画面に表示可能な任意のデータであり、文字や数字や記号の組み合わせであってもよいし、画像が含まれていてもよい。操作スクリプトは、シール型Ｗｅｂブラウザ２０を動作させるための操作スクリプトを表し、コンピュータプログラムであってもよい。
【００１７】
シール種別テーブルには、図３に示すように、カスタマイズ内容と、重複情報と、剥離情報が含まれていてもよい。カスタマイズ内容は、操作スクリプトにおける要素のなかでユーザによってカスタマイズ可能な要素を示す。重複情報は、１つのＷｅｂサイトにおいて操作スクリプトを複数回実行可能であるか否かを示す。剥離情報は、一度Ｗｅｂサイトに貼り付けたシールを剥離する際に実行する操作スクリプトを示す。
【００１８】
シール型Ｗｅｂブラウザ２０は、Ｗｅｂブラウザにおけるメニュー選択・実行や文字の入力といった操作をスクリプト化し、「シール」という形でＴＶ画面に表示する。シール型Ｗｅｂブラウザ２０におけるシールごとの操作スクリプトの実行内容の例を図３に列挙する。
・ブックマークの登録
・画面キャプチャ
・画面サイズの変更
・文字サイズの変更
・文字読み上げ
・文字入力（住所、氏名、パスワードなど）
・文字削除
・Ｗｅｂサイト内の画像ＤＬ
・ＷｅｂサイトＵＲＬの他利用者への共有通知
【００１９】
本実施形態に係るＷｅｂブラウザ操作方法は、シール管理手順と、スクリプト実行手順と、を有する。
シール管理手順では、シール管理サーバ１０が、ブラウザエンジン２２がＴＶ画面に表示しているＷｅｂサイトの情報を取得すると、シール種別テーブルを参照し、操作スクリプトのシール及び当該のシールに関連付けられた操作スクリプトをシールクライアント２１に返送する。このとき、シール管理サーバ１０は、シール種別テーブルの操作スクリプトのなかから取得したＷｅｂサイトで実行可能な操作スクリプトを選択する。
スクリプト実行手順では、シール型Ｗｅｂブラウザ２０が、返送されたシールをＴＶ画面にＷｅｂサイトと共に表示し、シールのいずれかがＷｅｂサイト上に貼り付けられると、シールの貼り付けられたＷｅｂサイトの表示内容について、当該シールに関連付けられた操作スクリプトを実行する。
【００２０】
図４に、本実施形態に係るＷｅｂブラウザ操作方法の一例を示すシーケンスの一例を示す。
ステップＳ１０１：シール型Ｗｅｂブラウザ２０がシール管理サーバ１０にアクセスすると、シール管理サーバ１０のユーザ情報管理部１４がシール型Ｗｅｂブラウザ２０についてのユーザ認証を行う。ユーザ認証の方法は任意である。例えば、ユーザ情報管理部１４は、ユーザのＩＤ及びパスワードを格納しており、シール型Ｗｅｂブラウザ２０から受信したＩＤ及びパスワードが格納されているものと一致する場合に、認証成功と判断する。シール型Ｗｅｂブラウザ２０がシール管理サーバ１０にアクセスするタイミングは任意である。例えば、ＴＶの起動時であってもよいし、シール型Ｗｅｂブラウザ２０の起動時であってもよい。
【００２１】
ステップＳ１０２：ユーザ認証に成功すると、シール管理サーバ１０のシール基本機能管理部１１はユーザが利用可能なシール種別をシール型Ｗｅｂブラウザ２０へ送信するとともに、シール管理サーバ１０のシール機能カスタマイズ管理部１３はユーザに応じたユーザカスタマイズ情報をシール型Ｗｅｂブラウザ２０へ送信する。または、シール型Ｗｅｂブラウザ２０がシール管理サーバ１０からシール種別、ユーザカスタマイズ情報を取得するようにしてもよい。
【００２２】
ステップＳ１０３：Ｗｅｂサイトを表示する旨の指示がユーザから入力されると、ブラウザエンジン２２は指示のあったＷｅｂサイトＷＳ１をＴＶ画面に表示する。このとき、シールクライアント２１は、図５に示すように、シール管理サーバ１０から取得したシール種別及びユーザカスタマイズ情報に従ったシールＳＬ１１、ＳＬ１２、ＳＬ１３をＴＶ画面に表示する。シールの表示位置は任意である。またこのとき、シールクライアント２１は、ＷｅｂサイトＷＳ１に含まれる情報に応じて、表示するシールＳＬ１１〜ＳＬ１３を変更してもよい。または、ＷｅｂサイトＷＳ１に含まれる情報や表示内容によって、シールの操作スクリプトの実行が可能か不可能かを判断して、表示するシール種別を変更したり、利用できないようにグレーアウトさせて表示させてもよい。
【００２３】
ステップＳ１０４：ＴＶ画面に表示されたシールＳＬ１１〜ＳＬ１３のいずれか、例えばシールＳＬ１２をユーザが選択し、ＷｅｂサイトＷＳ１に貼り付けたとする。
【００２４】
ステップＳ１０５：シールクライアント２１は、貼り付け位置とシールＳＬ１２によって定められる操作スクリプトの実行内容を確認するためのメッセージをＴＶ画面に表示する。例えば、シール種別が「ブックマークの登録」であれば、「このＷｅｂサイトのブックマークを登録しますか？」という表示とともに、「Ｙｅｓ」「Ｎｏ」という選択画面をＴＶ画面に表示する。
【００２５】
ステップＳ１０６〜Ｓ１０８：ステップＳ１０５においてユーザから実行する旨の指示が入力された場合（Ｓ１０６）、シールクライアント２１は、ブラウザエンジン２２の表示したＷｅｂサイトＷＳ１について、シールＳＬ１２の操作スクリプトを実行する（Ｓ１０７）。
【００２６】
シールクライアント２１は、ＷｅｂサイトＷＳ１について、貼り付け位置とシールＳＬ１２によって定められる実行内容をシール貼り付け情報として保存することが好ましい（Ｓ１０８）。シールＳＬ１２の実行が一時的なものではなく、次回のＷｅｂサイトの表示のときも実行する操作スクリプトである場合には、Ｗｅｂサイトを表示する際に自動的にシールＳＬ１２で定められた操作スクリプトを実行することができる。また、シール貼り付け情報を保存して次回のＷｅｂサイトの表示のときも実行するかどうかを、ステップＳ１０５にてユーザに問い合わせるようにしてもよい。
【００２７】
このように、利用者が、シール型Ｗｅｂブラウザ２０を起動した際に、シール管理サーバ１０のユーザ情報管理部１４にてユーザ認証を行うことで、シール管理サーバ１０は利用者を識別し、シール基本機能管理部１１にて利用者が利用可能なシールＳＬ１１〜ＳＬ１３の種別判定を行ったり、シール機能カスタマイズ管理部１３にてシールの実行内容のユーザカスタマイズを行ったりすることができる。そして、シール管理サーバ１０がカスタマイズされたシールをシール型Ｗｅｂブラウザ２０に配布することで、利用者はシールＳＬ１１〜ＳＬ１３のいずれかを選択し、ＷｅｂサイトＷＳ１に貼付して、ＷｅｂサイトＷＳ１についての操作スクリプトを実行できるようにする。シールＳＬ１１〜ＳＬ１３の実行内容のユーザカスタマイズは、利用者がＷｅｂサイトＷＳ１上にシールを貼る際に、シール管理サーバ１０に問い合わせて実施するようにしてもよい。
【００２８】
利用者が、同じＷｅｂサイトＷＳ１に対して、同種別や異種別のシールを複数枚貼ることで、操作スクリプトを複数実行するようにしてもよい。ただし、同種別のシールにおいて操作スクリプトが一度だけ有効となる場合や異種別のシールにおいて操作スクリプト間の実行内容が競合関係や排他関係にある場合は当該シールを貼れないなどする。そのために、シール管理サーバ１０のシール貼付ルール管理部１２にて、シール貼付ルールを管理し、シール型Ｗｅｂブラウザ２０にシールと合わせて配布しておくことで、利用者がシールを貼る際にシール貼付ルールを確認する。シール貼付ルールの確認は、利用者がＷｅｂサイトにシールを貼る際に、シール管理サーバ１０に問い合わせて実施するようにしてもよい。
【００２９】
利用者が、シールの貼り間違いによる操作スクリプトの実行を防いだり、実行オプションを追加、変更できるようにするために、シール貼付ルール管理部１２は、シールを貼るＷｅｂサイトＷＳ１上の位置に応じて、操作スクリプトの実行可否や実行内容を変えられるようにする。そのために、操作スクリプトの実行内容に貼付位置情報を付与できるようにする。そして、貼付位置が正しいときのみシールが貼れるようにすることで利用者の利便性を向上させる。例えば、操作スクリプトを実行できない位置にシールが貼付けられようとした場合、貼付けが可能な位置のうちのその位置から直近の位置に、シールを自動で移動させる。また、逆に、ユーザが意図せず操作にスクリプトが実行されてしまわないように、操作スクリプトを実行できない位置にシールが貼付けられようとした場合には、無効にしてもよい。
【００３０】
ステップＳ１０９：ＷｅｂサイトＷＳ１を表示する旨の指示がユーザから入力されると、ブラウザエンジン２２は指示のあったＷｅｂサイトＷＳ１をＴＶ画面に表示する（Ｓ１０９）。このとき、シールクライアント２１は、以前に実行したシールＳＬ１２の情報が保存されている場合、シールＳＬ１２の操作スクリプトを実行するために必要な情報をシール管理サーバ１０から取得し（Ｓ１１０）、シールＳＬ１２で定められる操作スクリプトを実行する（Ｓ１１１）。また、自動的に操作スクリプトを実行するかどうかを、ユーザに問い合わせるようにしてもよい。
【００３１】
このように、利用者がＷｅｂサイトＷＳ１上に貼ったシールＳＬ１２の実行内容が、再度、同じＷｅｂサイトＷＳ１を表示した際に実行可能である場合は、シールクライアント２１はＷｅｂサイトの履歴情報と合わせてシール貼付履歴情報を、シール型Ｗｅｂブラウザ２０の動作端末上にあるメモリ２３に保存しておく。また、シール貼付履歴情報を保存するかどうかは、Ｗｅｂサイトを閉じるときに利用者に問い合わせるようにしてもよい。また、シール貼付履歴情報は、シール管理サーバ１０上に保存させるようにしてもよい。
【００３２】
ステップＳ１１２：シールＳＬ１２を剥がす旨の指示がユーザから入力されると（Ｓ１１２）、シールクライアント２１は、シールＳＬ１２を剥がしてもよいか否かを問い合わせる旨のメッセージをＴＶ画面に表示する（Ｓ１１３）。ユーザから剥がしてもよい旨の指示が入力された場合（Ｓ１１４）、シールクライアント２１は、シールＳＬ１２を剥がす操作スクリプトを実行する（Ｓ１１５）。
【００３３】
このように、利用者が、ＷｅｂサイトＷＳ１上に貼ったシールＳＬ１２を剥がすことで、ステップＳ１１５において当該シールＳＬ１２の操作スクリプトの逆になるような操作スクリプトを実行し、操作スクリプト実行前の状態に戻せるようにする。ただし、操作スクリプトの実行内容によって、実行前の状態に戻すことが不可能であるものは、シール管理サーバ１０のシール基本機能管理部１１から配布するシールに、シール貼付ルール管理部１２が不可逆フラグ情報を付与できるようにすることで、シールを貼る際に利用者に注意を促したり、シールを剥がせないようにしたりしてもよい。または、不可逆フラグ情報により剥がせないシールは、操作スクリプトが実行された後、表示されないようにしてもよい。
【００３４】
以上説明したように、本実施形態に係る発明により、ＴＶ画面上のＷｅｂブラウザに対するあらゆる操作を、利用者が目的とするシールを選択して貼り付けるという、直感的かつ共通的な操作方法とすることで、ＴＶリモコンやマウスを使った操作性を高め、操作回数を削減することができる。また、ＰＣやスマートフォンに精通していない利用者であっても、短時間で利用方法を習熟できる。さらに、他のデバイスや他のアプリケーションにおける操作について、統一的に本手段とすることで、利用者の利便性をさらに高めることができる。
【００３５】
なお、本実施形態ではステップＳ１０１においてユーザ認証を行ったが、本発明はこれに限定されない。例えば、ユーザカスタマイズを過去にしていない又はしない予定のユーザは、ユーザ認証をしなくともよい。
【００３６】
また、本発明は、シールと同様の機能を有するあらゆるツールに適用できる。例えば、シールに代えて付箋紙にすることができる。また、シールの貼付け及び剥離に代えて、タグ（荷札、栞等）の脱着を行ったり、スタンプ・スタンプへの×書き又は再スタンプを行ったり、筆記用具(ペン、クレヨン、インク、ペンキ等)でチェック・チェックの削除又は修正ペンや消しゴムでの消去又は再チェックを行ったり、コネクタの接続・抜脱を行ったりしてもよい。
【００３７】
また、本実施形態ではシール管理サーバ１０が単一のシステムである場合について説明しているが、本発明はこれに限定されない。例えば、シール管理サーバ１０が分散配置されたエッジコンピューティングシステムでの適用が可能である。この場合、シール管理サーバ１０は分散配置されても、集中配置されてもよく、シール管理サーバ１０の処理をユーザ端末内に配置しても良い。さらには、シール型Ｗｅｂブラウザ２０のブラウザエンジン２２部分をエッジコンピューティングシステム上で動作させるようにしてもよい。
【００３８】
また、本実施形態では、シールＳＬ１１〜ＳＬ１３をＷｅｂサイトＷＳ１に貼り付けることによって関連付ける例について説明したが、本発明はこれに限定されない。
例えば、ＷｅｂサイトＷＳ１を移動させてシールＳＬ１１に重ね合わせる。この場合、シールＳＬ１１に相当する画面領域（箱・ファイル・書類挟み）へＷＥＢブラウザＷＳ１の表示を収納したり、取り出したりすることが考えられる。
例えば、ＷｅｂサイトＷＳ１とシールＳＬ１１を接続線で接続する。この場合、起動する画面領域へのＷＥＢブラウザの表示から垂らしたコネクタの接続・抜脱したりしてもよい。また、別置きしたコネクタを用いた起動する画面領域とＷＥＢブラウザの表示の接続・抜脱したり、タッチパネルである場合に起動する画面領域とＷＥＢブラウザの表示の両方に指等で接触し、接触した指等をタッチパネル上で近づくようにスライドする・接触した指等をタッチパネル上で互いに離れるようにスライドしたりしてもよい。
【００３９】
（実施形態２）
本実施形態では、図６を参照しながら、シール貼付け場所による実行制御例について説明する。ＷｅｂサイトＷＳ２には、テキスト文Ｔ１と、画像Ｆ１及びＦ２と、文字入力欄ＷＤ１〜ＷＤ３が表示されている。そして、このＷｅｂサイトＷＳ２に適用可能なシールとして、画面キャプチャを行うシールＳＬ２１と、画像を消去するシールＳＬ２２と、指定された宛先へ通知するシールＳＬ２３と、文字サイズを指定するシールＳＬ２４と、名前を入力するシールＳＬ２５と、がある。
【００４０】
ＷｅｂサイトＷＳ２が表示されている範囲内にシールＳＬ２１が貼り付けられた場合、シールクライアント２１は、画面キャプチャの操作スクリプトを実行し、あらかじめ定められたフォルダに保存する。このとき、画面の左上に貼り付けるとフォルダＡに保存し、画面の左下に貼り付けるとフォルダＢに保存するなど、貼付け場所によって保存場所を変えることが好ましい。この保存先フォルダは、シール機能カスタマイズ管理部１３において、管理する。
【００４１】
ＷｅｂサイトＷＳ２が表示されている範囲内にシールＳＬ２３が貼り付けられた場合、シールクライアント２１は、指定された宛先へ通知する操作スクリプトを実行し、指定された宛先へＷｅｂサイトＷＳ２を送付する電子メールを作成して保存する。宛先は予め設定されていてもよいし、操作スクリプトの実行過程において宛先と送信元を指定してもよい。画面の左下に貼り付けると電子メールで通知し、画面の右上に貼り付けるとチャットで通知するなど、貼り付ける場所によって通知方法が異なるようにしてもよい。この通知方法の違いの管理は、シール貼付ルール管理部１２が行ってもよいし、ユーザによるカスタマイズであればシール機能カスタマイズ管理部１３が行ってもよい。
【００４２】
テキスト文Ｔ１の上にシールＳＬ２４が貼り付けられた場合、シールクライアント２１は、文字サイズを設定する操作スクリプトを実行する。そして、ブラウザエンジン２２は、ユーザから指定された文字サイズでテキスト文Ｔ１を表示する。シールＳＬ２４が文字の表示されていない位置に貼り付けられた場合、シールクライアント２１は、文字サイズを設定する対象がないと判定し、文字サイズを設定する操作スクリプトを実行しない。このように、貼り付けられる位置によって操作スクリプトを実行しないことは、シール貼付ルール管理部１２において決定される。
【００４３】
画像Ｆ２の上にシールＳＬ２２を貼り付けられた場合、シールクライアント２１は、画像Ｆ２をダウンロードする操作スクリプトを実行する。すると、ブラウザエンジン２２は、画像Ｆ２をダウンロードする。画像Ｆ１とシールＳＬ２２の重なっている領域が少ないと、シールクライアント２１は、画像Ｆ１をダウンロードする操作スクリプトを実行しない。このように、シール貼付ルール管理部１２が、シールＳＬ２２がどの程度画像と重なっているかによって操作スクリプトを実行するか否かを決定する。シールクライアント２１は、シール貼付ルール管理部１２からの指示に応じて、操作スクリプトを実行するか否かを判断する。
【００４４】
文字入力欄ＷＤ１の上にシールＳＬ２５が貼り付けられた場合、シールクライアント２１は、名前を入力する操作スクリプトを実行する。すると、ブラウザエンジン２２は、文字入力欄ＷＤ１に名前を入力する。このときの名前は予め設定された名前であってもよいし、操作スクリプトの実行過程において入力する文字（名前）を選択するようにしてもよい。シールＳＬ２５が文字入力欄ＷＤ２とＷＤ３の両方に重なっている場合、シールクライアント２１は、名前を入力する操作スクリプトを実行しない。このように、シール貼付ルール管理部１２が、シールＳＬ２５が単一の文字入力欄上に配置されているかによって操作スクリプトを実行するか否かを決定する。
【００４５】
なお、上記の本実施形態では、端末にＴＶを用いた実施例として示しているが、スマートフォン、タブレット、ＰＣ等を用いるようにしてもよい。
【産業上の利用可能性】
【００４６】
本発明は情報通信産業に適用することができる。
【符号の説明】
【００４７】
１０：シール管理サーバ
１１：シール基本機能管理部
１２：シール貼付ルール管理部
１３：シール機能カスタマイズ管理部
１４：ユーザ情報管理部
２０：シール型Ｗｅｂブラウザ
２１：シールクライアント
２２：ブラウザエンジン
２３：メモリ
２４：その他ブラウザ機能
【図２】
2015097020.tif 000003
【図３】
2015097020.tif 000004
【図４】
2015097020.tif 000005
【図５】
2015097020.tif 000006
【図６】
2015097020.tif 000007
【図１】
2015097020.tif 000008